(57)【特許請求の範囲】
【請求項１】
一端側に縦方向等間隔毎に複数のリング取付孔を並設して成る台紙と、該台紙のリング取付孔に一端が挿通保持され、筆記用紙の綴じ孔に挿通された他端側を前記台紙の縁端部裏側に湾曲させて成る開放リング状の綴じリングとを備えたノートの綴じ具であって、台紙のリング取付孔の表側から挿通された綴じリングの一端側を当該リング取付孔の裏側から保持固定するようリング取付孔裏面に取着可能な押え片を備えたことを特徴とするノートの綴じ具。
【請求項２】
押え片は、台紙の一端側が折り返されてリング取付孔を裏側から覆うことが可能な程度の長さとなるように当該台紙の一端側を延長させて成る請求項１記載のノートの綴じ具。
【請求項３】
弾性材による台紙と、該台紙の縁端部側に一端側が固着され、筆記用紙の綴じ孔に挿通された他端側を前記台紙の縁端部裏側に湾曲させて成る開放リング状の綴じリングとを備えたことを特徴とするノートの綴じ具。
【請求項４】
綴じリングは、線材の長手方向に沿っての等間隔毎に直角方向に向けて略コ字形に突出するように折曲形成され、これら略コ字形突出部分を円弧状に湾曲させることによって二重のＣリングが複数等間隔に連設して成る請求項１乃至３のいずれか記載のノートの綴じ具。
【発明の詳細な説明】
【技術分野】
【０００１】
本発明は、筆記用紙を綴じ込むための所謂リングノートと称するノートの綴じ具の改良に関する。
【背景技術】
【０００２】
従来、この種のリングノートの綴じ具としては、特許文献１に開示されているように、スパイラル状に延びる一本の線材からなる綴じリングを用い、これを表紙と筆記用紙とに形成された多数の綴じ孔に挿通することによって構成され、前記綴じリングは、所定の押圧力で変形可能な柔軟性を備えた軟質材料により構成されるという技術が存在する。このような構成とすることで、例えば、ノートを見開き状態として所要の筆記作業を行う際に、手首等の領域が綴じリングに跨がように乗る姿勢となっても、その重さによって綴じリングが倒れ込むように変形するようになり、手首領域を痛めることを効果的に防止している。
【０００３】
しかしながら、従来においては、スパイラル状に延びる一本の線材からなる綴じリングを表紙と筆記用紙とに形成された多数の綴じ孔に挿通することによって筆記用紙自体が綴じ込まれているため、該筆記用紙の脱着が不可能な構造となっている。特に、筆記用紙を束毎交換することは不可能である。しかも、綴じリングから筆記用紙を取り外す場合には、これを強制的に引き抜いて綴じ孔を破断しなければならない。
【０００４】
そこで、本出願人は、先に出願した特許文献２にあるように、筆記用紙の綴じ孔を破断させずにこれを束毎脱着することができ、したがって、筆記用紙の補充や新規の筆記用紙との交換が容易に行えるものとしたノートの綴じ具を開発したものである。
【０００５】
すなわち、これは、二枚重ねとなるように折り込まれた弾性板材の一端側に縦方向等間隔毎に複数のリング取付孔を穿設し、該リング取付孔に開放リング状の綴じリングの一端が保持され、筆記用紙の綴じ孔に挿通された綴じリングの他端側を台紙の折り返し他端側縁部に着脱可能に係架させるものとしている。
【特許文献１】特開２０００−１４１９７３号公報
【特許文献２】特願２００６−１３１４４１
【発明の開示】
【発明が解決しようとする課題】
【０００６】
ただ、従来においては、台紙のリング取付孔に保持されている開放リング状の綴じリングの一端側は、台紙のリング取付孔に反対側から挿入され、各リング取付孔相互間で一端側を係止させてから、台紙の縁端部側をリング取付孔手前から内側に折り畳み、その先端部分だけを接着剤等でもって貼着固定してあるため、その保持機能が脆弱なものとなり、綴じリングの一端側保持部分がガタ付いて破断してしまう虞れがある。
【０００７】
また、従来では、台紙のリング取付孔に一端側が保持されている開放リング状の綴じリングの他端側が、筆記用紙の綴じ孔に挿通され、その他端側を前記台紙の折り返し他端側縁部に着脱可能に係架させるものとなっているため、綴じリングへの筆記用紙の脱着がスムーズに行い難く、しかも、製作部材も多くなり、且つコスト高となる虞れがある。
【０００８】
そこで、本発明は、叙上のような従来存した諸事情に鑑み案出されたもので、台紙のリング取付孔に保持されている綴じリングの一端側における保持機能を向上させることで、綴じリングの一端側保持部分のガタ付きによる台紙の破断を未然に防止でき、また、綴じリングへの筆記用紙の脱着がスムーズに行うことができ、しかも、製作部材も少なくて済み且つ低コストに作製できるものとしたノートの綴じ具を提供することを目的とする。
【課題を解決するための手段】
【０００９】
上述した課題を解決するため、本発明にあっては、一端側に縦方向等間隔毎に複数のリング取付孔を並設して成る台紙と、該台紙のリング取付孔に一端が挿通保持され、筆記用紙の綴じ孔に挿通された他端側を前記台紙の縁端部裏側に湾曲させて成る開放リング状の綴じリングとを備えたノートの綴じ具であって、台紙のリング取付孔の表側から挿通された綴じリングの一端側を当該リング取付孔の裏側から保持固定するようリング取付孔裏面に取着可能な押え片を備えたことを特徴とする。
【００１０】
押え片は、台紙の一端側が折り返されてリング取付孔を裏側から覆うことが可能な程度の長さとなるように当該台紙の一端側を延長させることができる。
【００１１】
弾性材による台紙と、該台紙の縁端部側に一端側が固着され、筆記用紙の綴じ孔に挿通された他端側を前記台紙の縁端部裏側に湾曲させて成る開放リング状の綴じリングとを備えたことを特徴とする。
【００１２】
綴じリングは、線材の長手方向に沿っての等間隔毎に直角方向に向けて略コ字形に突出するように折曲形成され、これら略コ字形突出部分を円弧状に湾曲させることによって二重のＣリングが複数等間隔に連設して成るものとすることができる。
【発明の効果】
【００１３】
本発明によれば、台紙のリング取付孔に保持されている綴じリングの一端側における保持機能を向上させ、これによって、綴じリングの一端側保持部分のガタ付きによる台紙の破断を未然に防止でき、また、綴じリングへの筆記用紙の脱着がスムーズに行うことができ、しかも、製作部材も少なくて済み且つ低コストに作製できる。したがって、筆記用紙の綴じ孔を破断させずにこれを束毎脱着することができ、したがって、筆記用紙の補充や新規の筆記用紙との交換が容易且つ迅速に行えるものである。
【発明を実施するための最良の形態】
【００１４】
以下、図面を参照して本発明を実施するための最良の一形態を説明する。
図において示される符号１は、筆記用紙Ｐを綴じるための綴じ具であり、該綴じ具１は、図１に示すように、例えば硬質紙または塩ビ等の弾性を有する矩形状の板材による台紙２と、該台紙２の一端に縦方向等間隔毎に穿孔並設した略矩形孔状のリング取付孔２ａに挿入保持されるよう一部が開放された略Ｃリング状の綴じリング３とから構成されている。
【００１５】
綴じリング３は、図３に示すように、１本の線材を長手方向に沿って等間隔毎に直角方向に向けて略コ字形に突出するように折曲することで、縦方向の基端部３ａを介して互いに横向き並行となる略コ字枠状の複数のヒダ部３ｂが形成され、これら略コ字形突出部分であるヒダ部３ｂそれぞれを一方向に向けて円弧状に湾曲させてある。
【００１６】
そして、図４、図５に示すように、台紙２のリング取付孔２ａに反対側からヒダ部３ｂが挿入され、当該基端部３ａを各リング取付孔２ａ相互間で係止させてから、図２に示すように、台紙２のリング取付孔２ａ裏側から、直列した基端部３ａ全体を覆うように、帯板状の押え片４が例えば接着剤等により取着される。
【００１７】
こうして、綴じリング３は、図２に示すように、このヒダ部３ｂが台紙２の縁端部裏側に向けて湾曲突出した状態となって固定配置され、綴じリング３のヒダ部３ｂを、筆記用紙Ｐの綴じ孔Ｐ１に挿入し、ヒダ部３ｂに沿って反転させて台紙２上面に載置させることで綴じ具１に筆記用紙Ｐが取り付けられる。
【００１８】
また、前記押え片４は、図６に示すように、台紙２の縁端側を若干延長させ、折り返した状態でリング取付孔２ａ全体を裏側から覆うことが可能な程度の長さとなるように構成しても良い。そして、台紙２の縁端側を綴じリング３の基端部３ａを巻き込むようにしてリング取付孔２ａ手前から内側に折り畳んだ後、この折り込み部分に例えば接着剤等を塗布して取着することで、綴じリング３自体は台紙２にしっかりと固定される。
【００１９】
次に、以上のように構成された最良の形態についての使用の一例について説明する。
新規の筆記用紙Ｐを綴じ具１に装着する際には、筆記用紙Ｐの綴じ孔Ｐ１に、綴じリング３のヒダ部３ｂを挿入し、当該ヒダ部３ｂに沿って筆記用紙Ｐを反転させて台紙２上面に載置させる。このとき、綴じリング３のヒダ部３ｂは、台紙２の縁端部裏側に向けて湾曲突出した状態となって固定配置されているため、綴じリング３から筆記用紙Ｐを略１８０°度反転しない限り離脱されないものとなる。そして、筆記用紙Ｐを取り外す場合には、これを１８０°反転させて綴じリング３から取り外せば良い。
【００２０】
図７には、前記押え片４を使用せず、且つ台紙２にはリング取付孔２ａが設けられていない場合の綴じ具１の具体例が示されている。
すなわち、本例では、弾性板材による台紙２の縁端部側に、前記した開放リング状の綴じリング３の基端部３ａが例えば接着剤あるいは鳩目部材等によって固着され、筆記用紙Ｐの綴じ孔Ｐ１に挿通されるヒダ部３ｂ側を前記台紙２の縁端部から裏側に湾曲させてある。
【００２１】
尚、台紙２には、表紙の一端側が接着剤等によって固定され、表紙の他端側は綴じリングを巻き込むようにしてから筆記用紙Ｐ上面を覆うようにしても良い。さらに、一端側に袋部を備えた矩形状のカバー表紙の当該袋部に台紙２を挿入して、カバー表紙の他端覆い部側で表紙上面を覆うようにしても良い。
【００２２】
また、筆記用紙Ｐに対面する台紙２の中央には、指先が挿入できる程度の大きさの押出用孔部が穿設され、この押出用孔部を介して、台紙２上の筆記用紙Ｐを上方に押しあげられるようにしても良い。
【００２３】
本形態における綴じ具１は、綴じ具１自体を手帳タイプもしくは名刺タイプ、その他の様々なサイズに形成しても良く、さらに、リングノートのみならず、例えばアルバム、その他ファイル類等にも応用可能である。
【図面の簡単な説明】
【００２４】
【図１】本発明を実施するための最良の形態における綴じ具の使用状態を示す斜視図である。
【図２】同じく綴じリングを備えた台紙の断面図である。
【図３】同じく綴じリングの一例を示す斜視図である。
【図４】同じく台紙に綴じリングを取り付けた状態の平面図である。
【図５】同じく台紙に綴じリングを取り付けた状態の下面図である。
【図６】同じく押え片の他例を示す断面図である。
【図７】同じく綴じ具の他例を示す断面図である。
【符号の説明】
【００２５】
Ｐ    筆記用紙
Ｐ１  綴じ孔
１    綴じ具
２    台紙
２ａ  リング取付孔
３    綴じリング
３ａ  基端部
３ｂ  ヒダ部
４    押え片
【図１】
0004834468.tif 000002
【図２】
0004834468.tif 000003
【図３】
0004834468.tif 000004
【図４】
0004834468.tif 000005
【図５】
0004834468.tif 000006
【図６】
0004834468.tif 000007
【図７】
0004834468.tif 000008